(57)【要約】【課題】  本発明は、機械組立て工場での組立て作業時や医療現場における外科手術時等に、作業者の手や手に持った作業用器具の影になって、指先の作業対象部分に照明の光が十分に届かず視認性が悪くなるという問題を解決することを目的とするものである。【解決手段】  上記課題を解決するために、指先の先端部分に1つまたは複数個の照明装置、あるいは1つまたは複数個のスコープ、あるいは当該照明装置と当該スコープを１つずつまたは複数個ずつ備えた構成の作業用手袋を提供する。【選択図】図1
2008038306.tif 000002
【特許請求の範囲】
【請求項１】
作業用手袋であって、指先の先端部分に1つまたは複数個の照明装置、あるいは1つまたは複数個のスコープ、あるいは当該照明装置と当該スコープを１つずつまたは複数個ずつ備えたことを特徴とする作業用手袋。
【請求項２】
作業用指サックまたは作業用指先装着具であって、指先の先端に相当する部分に照明装置、またはスコープの内のいずれか、あるいは当該照明装置と当該スコープの両方を備えたことを特徴とする作業用指サックまたは作業用指先装着具。
【請求項３】
請求項1に記載の作業用手袋であって、前記照明装置が発光ダイオードまたは光ファイバーで誘引された光源であることを特徴とする作業用手袋。
【請求項４】
請求項1に記載の作業用手袋であって、前記スコープがビテオスコープまたはファイバースコープのいずれかであることを特徴とする作業用手袋。
【請求項５】
請求項1、３、および４のいずれかに記載の作業用手袋であって、前記照明装置の先端には、光路を絞るためのデバイスを設けていることを特徴とする作業用手袋。
【請求項６】
請求項２に記載の作業用指サックまたは作業用指先装着具であって、前記照明装置が発光ダイオードまたは光ファイバーで誘引された光源であることを特徴とする作業用指サックまたは作業用指先装着具。
【請求項７】
請求項２に記載の作業用指サックまたは作業用指先装着具であって、前記スコープがビテオスコープまたはファイバースコープのいずれかであることを特徴とする作業用指サックまたは作業用指先装着具。
【請求項８】
請求項２、６、および７のいずれかに記載の作業用指サックまたは作業用指先装着具であって、前記照明装置の先端には、光路を絞るためのデバイスを設けていることを特徴とする作業用指サックまたは作業用指先装着具。
【発明の詳細な説明】
【技術分野】
【０００１】
本発明は、作業用手袋、作業用指サック、または作業用指先装着具に係り、更に詳細には、機械組立て工場での組立て作業、電子デバイス製造工場などのクリーンルーム内での精密作業、医療現場における外科手術、歯科医療用、あるいは夜間の釣りや登山、ダイビングなどのレジャー用として使用される作業用手袋、作業用指サック、または作業用指先装着具に係る。
【背景技術】
【０００２】
従来、機械組立て工場での組立て作業時、電子デバイス製造工場などのクリーンルーム内での精密作業時、医療現場における外科手術時、歯科医療時、あるいは夜間の釣りや登山、ダイビングなどを行う場合等において、指先の作業対象部分が暗かったり、または手の影になって証明が十分に届かない場合には、小型の局所照明を使用して指先を照らして作業を行っていた。小型の局所照明としては、ペンライト、ヘッドライト、歯科用鏡、あるいは光照射器などの器具が使用されていた。
【０００３】
例えば、特許文献1では、ペンライトをヘルメットに対して着脱自在に取り付け、取り付けた状態にてペンライトの照射角度を自在に変化させることができるペンライト付ヘルメットが考案され、局所照明装置として利用されている。
【０００４】
また、例えば、特許文献2では、クリップと鏡を連結部材を介して一体化し、口腔内を照射するためのペンライトの軸部をクリップで着脱自在に挟み込み、支持できるようにした口腔検査鏡用クリップ式ペンライト保持器が考案されている。
【０００５】
これらの局所照明を使用して作業をする場合、局所照明器具を手でもって照射位置を合わせたり、特定の保持具を利用して照射位置を合わせたり、または作業者の頭を動かして照射位置を合わせたりすることが必要であり、狭い空間で作業を行う場合等には、作業性が極めて悪かった。
【０００６】
また、局所照明を使用したとしても手や手に持った作業用器具の影になって、指先の作業対象部分に光が十分に届かず視認性が悪いという問題もあった。
【特許文献１】特開２０００−３５５８１７号公報
【特許文献２】特開平７−２８９５１６号公報
【発明の開示】
【発明が解決しようとする課題】
【０００７】
本発明は、かかる事情を鑑みなされたものであり、その目的とするところは、機械組立て工場での組立て作業時、電子デバイス製造工場などのクリーンルーム内での精密作業時、医療現場における外科手術時、歯科医療時、あるいは夜間の釣りや登山、ダイビングなどにおいて作業を行う場合に、局所照明器具を手でもって照射位置を合わせたり、特定の保持具を利用して照射位置を合わせたり、または作業者の頭を動かして照射位置を合わせたりすることを必要とせず、作業性を高めると共に、手や手に持った作業用器具の影になって、指先の作業対象部分に局所照明の光が十分に届かず視認性が悪いという問題を解決することを目的とするものである。
【課題を解決するための手段】
【０００８】
上述した課題を解決するために、本発明の請求項1に係る発明においては、指先の先端部分に1つまたは複数個の照明装置、あるいは1つまたは複数個のスコープ、あるいは当該照明装置と当該スコープを１つずつまたは複数個ずつ備えた構成の作業用手袋を提供するものである。
【０００９】
また、本発明の請求項2に係る発明においては、指先の先端に相当する部分に照明装置、またはスコープの内のいずれか、あるいは当該照明装置と当該スコープの両方を備えた構成の作業用指サックまたは作業用指先装着具を提供するものである。
【００１０】
また、本発明の請求項3に係る発明においては、請求項1に記載の前記照明装置が発光ダイオードまたは光ファイバーで誘引された光源である構成の作業用手袋を提供するものである。
【００１１】
また、本発明の請求項4に係る発明においては、請求項1に記載の前記スコープがビテオスコープまたはファイバースコープのいずれかである構成の作業用手袋を提供するものである。
【００１２】
更に、本発明の請求項5に係る発明においては、請求項1、３、および４のいずれかに記載の前記照明装置の先端には、光路を絞るためのデバイスを設けた構成の作業用手袋を提供するものである。
【００１３】
また、本発明の請求項6に係る発明においては、請求項２に記載の前記照明装置が発光ダイオードまたは光ファイバーで誘引された光源である構成の作業用指サックまたは作業用指先装着具を提供するものである。
【００１４】
また、本発明の請求項7に係る発明においては、請求項２に記載の前記スコープがビテオスコープまたはファイバースコープのいずれかである構成とした作業用指サックまたは作業用指先装着具を提供するものである。
【００１５】
また、本発明の請求項8に係る発明においては、請求項２、６、および７のいずれかに記載の前記照明装置の先端には、光路を絞るためのデバイスを設けている構成とした作業用指サックまたは作業用指先装着具を提供するものである。
【発明の効果】
【００１６】
上述したような構成の発明によって、機械組立て工場での組立て作業時、電子デバイス製造工場などのクリーンルーム内での精密作業時、医療現場における外科手術時、歯科医療時、あるいは夜間の釣りや登山、ダイビングなどにおいて作業を行う場合に、局所照明器具を手でもって照射位置を合わせたり、特定の保持具を利用して照射位置を合わせたり、または作業者の頭を動かして照射位置を合わせたりすることを必要とせずに、指先の作業対象部分に局所照明の光を十分に照射することができるようになり、作業性を高めることができる。
【００１７】
また、手や手に持った作業用器具の影になって、指先の作業対象部分に局所照明の光が十分に届かず、また作業者自身の手や、器具等の陰になっている部分の視認性を飛躍的に向上させることができ、更に作業性を向上させることができるという効果を奏する。
【発明を実施するための最良の形態】
【００１８】
以下本発明を図面に示す実施例に基いて説明する。
【００１９】
図1は、本発明の第一の実施例である照明装置11を備えた作業用手袋10を示したものである。作業用手袋としては、クリーンルームや医療現場で作業用手袋として用いられているポリ塩化ビニル製またはその他のラテックス製の手袋、あるいは木綿の作業手袋のように通常使用されている作業用手袋を利用することができる。
【００２０】
作業用手袋の指の先端部分には照明装置取り付け台12を介して照明装置11が取り付けられている。照明装置取り付け台12は、照明装置11を作業用手袋10の指先の先端近傍に固定するために使用されるものであり、作業用手袋10へ接着により固定したり、あるいは作業用手袋10を製造する際に手袋と一体に成形することもできる。
【００２１】
照明装置取り付け台12には照明装置11が接着または機械的方法により固定されている(図2参照)。
【００２２】
照明装置11として、小型の電球を利用することも可能であるが、発光ダイオード(LED)を使用することが望ましい。発光ダイオード(LED)は小型で発光量も大きく、かつ消費電力も少ないという特性を有しているため、照明装置11として使用することは特に望ましい。照明装置11として、小型の電球や発光ダイオード(LED)を使用する場合、これらの発光体には図1に示すように電力を供給するためのケーブル13が敷設されており、これらのケーブル13は、作業用手袋の挿入端近傍に設けたバッテリ等の電源14、または図示しない電力供給ケーブルと接続するためのコネクタ14に接続される。
【００２３】
また、照明装置11として、光ファイバーの中を誘引された光を光源として利用することもできる。この場合、例えば、図1に示した照明装置11の位置に光ファイバーの先端端面を配置するようにすると共に、光ファイバーの他端面には実際の光源となる発光体(例えば、発光ダイオードなど)を配置する必要がある。また、照明装置11として、光ファイバーの中を誘引された光を光源として利用する場合、照明装置1個当たり1本の光ファイバーを使用するようにしても良いし、複数の光ファイバーを束ねて面積の広い光路面を確保するようにしても良い。このように照明装置11として、光ファイバーの中を誘引された光を光源として利用する場合、図1に示されたケーブル13は、光ファイバーに置き換えられ、作業用手袋の挿入端近傍に設けたバッテリ等の電源14またはコネクタ14は、光ファイバーの発光部または、図示しない光ファイバーと接続するための光コネクタに置き換えられることになる。
【００２４】
以上説明した作業用手袋10では、手袋10の指先の先端近傍に照明装置11を備えるようにしたものであったが、当該照明装置11に代えてスコープを備えるようにしても良い。このスコープとしては小型のカメラを備えたビデオスコープまたはファイバースコープを利用することができる。これらのスコープはそれ自身が照明装置を備えたものであり、照明装置としてだけ利用することもできるが、作業者自らの手や作業用の機器の陰になって視認しずらい指先の領域でも、このようなカメラを介して容易に視認することが可能となる。ビデオスコープまたはファイバースコープとしては、工業用や医療用として利用されているものを使用することができる。
【００２５】
図1に示した作業用手袋10では、手袋10の5本の指先の全ての先端近傍に照明装置11を取り付けたものを示したが、5本の指全てに照明装置11を取り付ける必要はなく、任意の指先にだけ照明装置11を取り付けるようにしても良い。
【００２６】
また、照明装置11に代えてスコープを備えるようにする場合にも、5本の指全てにスコープを取り付ける必要はなく、任意の指先にだけスコープを取り付けるようにすれば良い。
【００２７】
なお、照明装置11として、小型の電球や発光ダイオード(LED)を使用する場合について説明したが、このような照明装置11を作業用手袋10の指先の先端近傍に固定する場合、小型の電球や発光ダイオード(LED)の前方には、これらの光源から出た光の光路を絞るためのレンズ15を配置するようにしても良い。このようなレンズとしては、一般に使用されている球面レンズのほか、非球面レンズや、上述した発光体を埋め込んだタイプのレンズであっても良い(図3参照)。このようなレンズを使用することにより、光を必要な領域に集中させることができ、効率の高い照明とすることができる。
【００２８】
図4は、本発明の第二の実施例である照明装置11を備えた作業用指サック20を示したものである。作業用指サック20としては、作業用手袋と同様にポリ塩化ビニル製のものやラテックス製のサックを利用することができる。
【００２９】
作業用指サック20の指の先端部分には照明装置取り付け台12を介して照明装置11が取り付けられている。照明装置取り付け台12は、照明装置11を作業用指サック20の指先の先端近傍に固定するために使用されるものであり、作業用指サック20へ接着により固定したり、あるいは作業用指サック20を製造する際にサックと一体に成形することもできる。
【００３０】
照明装置取り付け台12には照明装置11が接着または機械的方法により固定されている(図5参照)。
【００３１】
照明装置11としては、作業用手袋の場合と同様、小型の電球を利用することも可能であるが、発光ダイオード(LED)を使用することが望ましい。照明装置11として、小型の電球や発光ダイオード(LED)を使用する場合、これらの発光体には図4に示すように電力を供給するためのケーブル13が敷設されており、これらのケーブル13は、束ねられバッテリ等の電源14、または図示しない電力供給ケーブルと接続するためのコネクタ14に接続される。
【００３２】
また、照明装置11としては、作業用手袋の場合と同様、光ファイバーの中を誘引された光を光源として利用することもできる。この場合、例えば、図4に示した照明装置11の位置に光ファイバーの先端端面を配置するようにすると共に、光ファイバーの他端面には実際の光源となる発光体(例えば、発光ダイオードなど)を配置する必要がある。また、照明装置11として、光ファイバーの中を誘引された光を光源として利用する場合、作業用手袋の場合と同様、照明装置1個当たり1本の光ファイバーを使用するようにしても良いし、複数の光ファイバーを束ねて面積の広い光路面を確保するようにしても良い。このように照明装置11として、光ファイバーの中を誘引された光を光源として利用する場合、図4に示されたケーブル13は、光ファイバーに置き換えられ、バッテリ等の電源14またはコネクタ14は、光ファイバーの発光部または、図示しない光ファイバーと接続するための光コネクタに置き換えられることになる。
【００３３】
以上説明した作業用指サック20では、サック20の指先の先端近傍に照明装置11を備えるようにしたものであったが、当該照明装置11に代えてスコープを備えるようにしても良い。このスコープとしては、作業用手袋の場合と同様、小型のカメラを備えたビデオスコープまたはファイバースコープを利用することができる。これらのスコープはそれ自身が照明装置を備えたものであり、照明装置としてだけ利用することもできるが、作業者自らの手や作業用の機器の陰になって視認しずらい指先の領域でも、このようなカメラを介して容易に視認することが可能となる。使用されるビデオスコープまたはファイバースコープは、作業用手袋の場合と同様である。
【００３４】
図4に示した作業用指サック20では、5本の指の全てに照明装置11を取り付けた作業用指サック20を装着するよう図を示したが、5本の指全てに照明装置11を取り付ける必要はなく、任意の指先にだけ照明装置11を備えた作業用指サック20を取り付けるようにしても良い。
【００３５】
また、照明装置11に代えてスコープを備えるようにする場合にも、5本の指全てにスコープを備えた作業用指サック20を取り付ける必要はなく、任意の指先にだけ作業用指サック20を取り付けるようにすれば良い。
【００３６】
また、照明装置11として、小型の電球や発光ダイオード(LED)を使用する場合、作業用手袋の場合と同様、小型の電球や発光ダイオード(LED)の前方には、これらの光源から出た光の光路を絞るためのレンズ15を配置するようにしても良い。このようなレンズとしては、作業用手袋の場合と同様のものを使用することができる(図6参照)。
【００３７】
第二の実施例として照明装置11を備えた作業用指サック20について説明してきたが、作業用指サック20に代えて、作業用指先装着具30を使用することもできる。この作業用指先装着具30は作業者の指先に照明装置11を装着するものであり、その作用・機能は作業用指サック20と同様である。この作業用指先装着具30としては、金属製の指輪状のものとしたり、合成樹脂製またはラテックス製の指輪状のものとすることができる。その他の構成については、作業用指サック20の場合と同様であるため省略する。
【産業上の利用可能性】
【００３８】
ここで開示した照明装置あるいはスコープ備えた作業用手袋、あるいは作業用指サックまたは作業用指先装着具は、機械組立て工場での組立て作業、電子デバイス製造工場などのクリーンルーム内での精密作業、医療現場における外科手術、歯科医療用、あるいは夜間の釣りや登山、ダイビングなどのレジャー用として使用することができる。
【図面の簡単な説明】
【００３９】
【図１】図1は、本発明の第一の実施例である照明装置を備えた作業用手袋を示したものである。
【図２】図2は、図1の指先先端部の側面図を示したものである。
【図３】図3は、図1の指先先端部の側面図を示したものであって、照明装置である発光体を埋め込んだタイプのレンズを示したものである。
【図４】図4は、本発明の第二の実施例である照明装置を備えた作業用手袋を示したものである。
【図５】図5は、図4の指先先端部の側面図を示したものである。
【図６】図6は、図4の指先先端部の側面図を示したものであって、照明装置である発光体を埋め込んだタイプのレンズを示したものである。
【図７】図7は、指先先端部の側面図を示したものであって、作業用指サックに代えて作業用指先装着具を使用したものを示す。
【符号の説明】
【００４０】
10     作業用手袋
11     照明装置
12     照明装置取り付け台
13     ケーブル
14     電源またはコネクタ
15     レンズ
20     作業用指サック
30     作業用指先装着具
【図１】
2008038306.tif 000003
【図２】
2008038306.tif 000004
【図３】
2008038306.tif 000005
【図４】
2008038306.tif 000006
【図５】
2008038306.tif 000007
【図６】
2008038306.tif 000008
【図７】
2008038306.tif 000009